(57)【要約】【課題】四柱推命占いにおいて、占い対象者の年柱、月柱、日柱の夫々の六十干支を、嵩張る萬年暦を用いずに簡単に知る。【解決手段】番号付きの『六十干支表』と、各年号に対する各月の「節入り」の日を印した『節入り表』と、各年号の年柱、月柱、日柱の各六十干支の番号を求めるための『基本数表』とからなり、基本数表から計算によって得た数字を、『六十干支表』から選んで、対応する各六十干支を知る。【選択図】図１
2007241689.tif 000002
【特許請求の範囲】
【請求項１】
四柱推命占いで、占い対象者の生年月日から、年柱、月柱、日柱の各六十干支を求めるための六十干支求め表セットであって、
六十干支を十干の最初の［甲］と、十二支の最初の［子］の組合せである［甲子］を番号１として、最後の組合せである［癸亥］を番号６０とする番号付きの『六十干支表』(３) と、
年号列と、各年号に対する各月の「節入り」の日を印した『節入り表』(２)と、
各年号の年柱、月柱、日柱の各六十干支の番号を求めるための『基本数表』(１)とからなり、
『基本数表』(１)には、年号を順に印した年号列、年柱基本数を列挙した年柱基本数列、月柱基本数を列挙した月柱基本数列、日柱基本数を各月毎に列挙した日柱基本数列群を設け、
年柱基本数列には、対応する年号の六十干支の番号を付し(四柱推命では、２月の「節入り」の日(立春)より前は前年度となる)、
月柱基本数列の各年度毎に印された数字は、該数字に生月の数字を加算した数字或いは該加算して得られた数字が６０を越えた場合は、該加算して得られた数字から６０を減じた数字が、当該月(四柱推命では、生日が生月の「節入り」の日より前であれば前月とする)の六十干支の番号と一致し、
日柱基本数列群の各月毎に列挙された数字は、当該数字に生日の数字を加算した数字或いは該加算して得られた数字が６０を越えた場合は、該加算して得られた数字から６０を減じた数字が、当該日の六十干支の番号と一致することを特徴とする六十干支求め表セット。
【請求項２】
『基本数表』(１)は、年号列、年柱基本数列、月柱基本数列群は夫々縦向きに数字が列挙され、日柱基本数列は横向きに１２か月を振り分けて、各月に対応して縦向きに数字が列挙されている請求項１に記載の六十干支求め表セット。
【請求項３】
１枚の紙面に、『六十干支表』(３) 、『節入り表』(２)及び『基本数表』(１)が表されている請求項１又は２に記載の六十干支求め表セット。
【請求項４】
四柱推命占いで、占い対象者の生年月日から、年柱、月柱、日柱の夫々の六十干支を求めるための六十干支求め表セットであって、
六十干支を十干の最初の［甲］と、十二支の最初の［子］の組合せである［甲子］を番号１として、最後の組合せである［癸亥］を番号６０とする番号付きの『六十干支表』(３) と、
年号列と、各年号に対する各月の「節入り」の日を印した『節入り表』(２)と、
閏年か否によって、１２か月に対して月別に加算すべき数字を印した『加算表』(５)と、
各年号の年柱、月柱、日柱の各六十干支の番号を求めるための『基本数字表』(４)とからなり、
『基本数字表』(４)には、年号を順に印した年号列、年柱基本数を列挙した年柱基本数列、月柱基本数を列挙した月柱基本数列、日柱基本数を各月毎に列挙した日柱基本数列群を設け、
年柱基本数列には、対応する年号の六十干支の番号を付し(四柱推命では、２月の「節入り」の日(立春)より前は前年度となる)、
月柱基本数列の各年度毎に印された数字は、該数字に生月の数字を加算した数字或いは該加算して得られた数字が６０を越えた場合は、該加算して得られた数字から６０を減じた数字が、当該月(四柱推命では、生日が生月の「節入り」の日より前であれば前月とする)の六十干支の番号と一致する様に決められ、
日柱基本数列に各年号に応じて列挙された数字は、該数字に前記『加算表』から当該年が閏年か否かによって選択した数字を加算し、更に当該者の生日の数字を加算した数字が、当該日の六十干支の番号に一致する様に決められていることを特徴とする六十干支求め表セット。
【請求項５】
『基本数字表』(４)は、年号列、年柱基本数列、月柱基本数列及び日柱基本数列は平行に配列されている請求項４に記載の六十干支求め表セット。
【請求項６】
１枚の紙面に『六十干支表』(３) 、『節入り表』(２)、『基本数字表』(４)、『加算表』(５)が表されている請求項４又は５に記載の六十干支求め表セット。
【発明の詳細な説明】
【技術分野】
【０００１】
本発明は、四柱推命占いで、四柱の六十干支を求める表に関する。
【背景技術】
【０００２】
四柱推命占いは、生年月日と生誕時間(以下、「生時」とする)から占うものであり、四柱推命の『四柱』とは、年柱、月柱、日柱、時柱の４つを云う。
但し、生時が不明の場合は、生年月日からのみで占う。
【０００３】
四柱推命では、「世の中の森羅万象すべてのものは、『陰』と『陽』に分けられ、「木」「火」「土」「金」「水」の五つから成り立っているという考え方を陰陽五行説と言う(非特許文献１の１６頁)。
「木」は、『陽』が［甲］、『陰』が［乙］に分けられ、「火」は、『陽』が［丙］、『陰』は「丁」に、「土」は『陽』が「戊」、『陰』は「己」に、「金」は、『陽』が［庚］、『陰』が［辛］に、「水」は、『陽』が［壬］、『陰』は［癸］に分けられる。
五行が『陰』と『陽』に分かれて十干となる。
暦の十二支を『陰』と『陽』に分けると、『陽』は［子］［寅］［辰］［午］［申］［戌］、『陰』は、［丑］［卯］［巳］［未］［酉］［亥］となる(非特許文献１の１８頁)。
【０００４】
十干と十二支の組合せを六十干支と云い、例えば、十干の［甲］と十二支の［子］が合わさって［甲子］となる。
干支の組合せは、『陽』は『陽』どうし、『陰』は『陰』どうしの決まりがあり、本来百二十通り有るはずの組合せが、『陰』と『陽』の組合せが除外されているから六十通りの組合せとなり、六十干支と呼ぶのである(非特許文献１の２８頁)。
【０００５】
萬年暦(非特許文献２の第３頁)には、図３に示す如く、六十干支の個々の干支に「１」〜「６０」の番号を付し、番号「１」に［甲子］、番号「２」に［乙丑］、番号「３」に［丙寅］…………番号「６０」に［癸亥］を示した六十干支表が示されている。
前記した四柱推命の、年柱、月柱、日柱、時柱の４つは、夫々上記した六十干支の何れか１つに当てはまる。
以下の説明で、六十干支に付した各番号を、年柱に該当する場合は「年柱番号」、月柱に該当する場合は「月柱番号」、日柱に該当する場合は「日柱番号」と呼ぶ。
【０００６】
萬年暦について簡単に説明する。
萬年暦は冊子となっており、図６は、萬年暦から昭和１５年度分を、図７は、昭和１６年度分を、図８は、昭和１７度分を抜粋した表を示している。各年度毎１頁に表されている。
図７を参照すると、表外の上段に年号、(ここでは西暦(１９４１年)と元号(昭和１６年)の両方)及び該年号に対応する六十干支である［辛巳］を印している。
表の上から２段目の横列に、右から左へ各「月」を表している。四柱推命では一年の始まりは、２月の「節入り」の日(立春)からであって(特許文献１の第５０頁)、立春より前は前年度となる(図６の１９４０年の「月」の行の最後に１月が表されている)。
尚、四柱推命では、月の始まりの日も一日からではなく、夫々の月の「節入り」の日から始まる。例えば、３月の始まりの日は「節入り」の日(５日頃(閏年があるのでずれが生じる))の(啓蟄)であり、「節入り」の日の前は、前の月となる。
【０００７】
萬年暦の上から３段目の横行に、上段の各「月」に対する六十干支を示している。
最右縦列の１乃至３１の数字は、「日」を表している。
各「月」の縦列と、各「日」の横列の交わる位置に、当該日に対する六十干支を示している。
【０００８】
ここで、年柱、月柱、日柱の夫々の六十干支は、図３に示す六十干支が番号順に繰り返されている事実がある。番号６０の次は番号１に戻る。
例えば、１９４１年の年柱に対応する六十干支の［辛巳］は、図３から番号１８と分かり、前年の１９４０年の年柱に対応する六十干支は、番号１７の［庚辰］、翌年の１９４２年では、番号１９の［壬午］であり、年度順に六十干支も順に並んでいることが分かる。
又、図７の１９４１年の「月」の行で、年の開始の２月の［庚寅］(番号２７)から左へ［辛卯］(番号２８)、［壬辰］(番号２９)…年の終わりの１月の［辛丑］(番号３８)が番号順に並び、図８に示す翌年の開始月の２月は ［壬寅］(番号３９)から始まっており、月の順に六十干支も順に並んでいることが分かる。
又、図７の１９４１年の２月１日の六十干支［庚辰］(番号１７)から一月末日［甲申］(番号２１)までが番号順に並んでいる。翌日である１９４２年２月１日は、番号２２の［乙酉］であり(図８参照)、日の順に六十干支も順に並んでいることが分かる。
【０００９】
【非特許文献１】基礎から学ぶ実践四柱推命学の１６頁、１８頁、９３頁                     (発行所：知道出版  著者：山田凰聖  発行日:2004年4月25日)
【非特許文献２】萬年暦の第３頁                     (発行者：三木照山推命学研究会  著者：三木照山  発行日：平成                     14年5月)
【発明の開示】
【発明が解決しようとする課題】
【００１０】
上記した様に、従来の萬年暦は、横列に月、縦列に日を割り振っており、１頁に当該年の全ての日について、六十干支を表している。言い方を換えれば、肉眼で無理なく読み取るには、１頁に１年度分しか表せなかった。従って、例えば１００年分の萬年暦は、１頁の裏と表で２年度分として、５０頁のボリュームとなる。
頁数が多くなるほど使い難く、又、頁を捲る回数も増えて冊子の損耗が早くなる。
本発明は、従来の萬年暦に較べて、表の数を飛躍的に少なくして、使い易く、携帯に便利で、損耗を抑えることができる四柱推命六十干支求め表を明らかにするものである。
【課題を解決するための手段】
【００１１】
本発明は、１〜６０の番号を順に付した六十干支は、年柱、月柱、日柱、時柱の夫々について、必ず番号順に繰り返されることに着眼して成されたものである。
即ち、ある年の六十干支が分かり、その年のある月の六十干支が分かり、その年その月のある日の六十干支が分かっていれば、それを基準日として、たとえば１００年前でも、１００年後でも、年柱、月柱、日柱、時柱の夫々について、萬年暦がなくても、計算等で対応する六十干支を知ることはできる。但し、年には、閏年と非閏年があり、月には大と小があり、計算は非常に面倒で、時間が掛かりすぎる。
以下の第１発明、第２発明の六十干支求め表セットは、その表セットと簡単な計算で、占い対象者の、生年、生月、生日の夫々について六十干を知ることができる。
【００１２】
第１発明は、六十干支を十干の最初の［甲］と、十二支の最初の［子］の組合せである［甲子］を番号１として、最後の組合せである［癸亥］を番号６０とする番号付きの『六十干支表』(３) と、
年号列と、各年号に対する各月の「節入り」の日を印した『節入り表』(２)と、
各年号の年柱、月柱、日柱の各六十干支の番号を求めるための『基本数表』(１)とからなり、
『基本数表』(１)には、年号を順に印した年号列、年柱基本数を列挙した年柱基本数列、月柱基本数を列挙した月柱基本数列、日柱基本数を各月毎に列挙した日柱基本数列群を設け、
年柱基本数列には、対応する年号の六十干支の番号を付し(四柱推命では、２月の「節入り」の日(立春)より前は前年度となる)、
月柱基本数列の各年度毎に印された数字は、該数字に生月の数字を加算した数字或いは該加算して得られた数字が６０を越えた場合は、該加算して得られた数字から６０を減じた数字が、当該月(四柱推命では、生日が生月の「節入り」の日より前であれば前月とする)の六十干支の番号と一致し、
日柱基本数列群の各月毎に列挙された数字は、当該数字に生日の数字を加算した数字或いは該加算して得られた数字が６０を越えた場合は、該加算して得られた数字から６０を減じた数字が、当該日の六十干支の番号と一致することを特徴とする。
【００１３】
第２発明は、六十干支を十干の最初の［甲］と、十二支の最初の［子］の組合せである［甲子］を番号１として、最後の組合せである［癸亥］を番号６０とする番号付きの『六十干支表』(３) と、
年号列と、各年号に対する各月の「節入り」の日を印した『節入り表』(２)と、
閏年か否によって、１２か月に対して月別に加算すべき数字を印した『加算表』(５)と、
各年号の年柱、月柱、日柱の各六十干支の番号を求めるための『基本数字表』(４)とからなり、
『基本数字表』(４)には、年号を順に印した年号列、年柱基本数を列挙した年柱基本数列、月柱基本数を列挙した月柱基本数列、日柱基本数を各月毎に列挙した日柱基本数列群を設け、
年柱基本数列には、対応する年号の六十干支の番号を付し(四柱推命では、２月の「節入り」の日(立春)より前は前年度となる)、
月柱基本数列の各年度毎に印された数字は、該数字に生月の数字を加算した数字或いは該加算して得られた数字が６０を越えた場合は、該加算して得られた数字から６０を減じた数字が、当該月(四柱推命では、生日が生月の「節入り」の日より前であれば前月とする)の六十干支の番号と一致する様に決められ、
日柱基本数列に各年号に応じて列挙された数字は、該数字に前記『加算表』から当該年が閏年か否かによって選択した数字を加算し、更に当該者の生日の数字を加算した数字が、当該日の六十干支の番号に一致する様に決められていることを特徴とする。
【発明の効果】
【００１４】
第１発明、第２発明の六十干支表求め表の使用法については、後記する(発明を実施するための最良の形態)の中で述べるが、第１発明は３つの表から、占い対象者の生柱、年柱、月柱、日柱の夫々に対応する六十干支を知ることができる。  第１発明の『六十干支表』(３)と『節入り表』(２)は小さい紙面に表すことができ、又、『基本数表』(１)は、５０年分程度をＢ５サイズの用紙に表しても、見辛くならない程度に表すことができ、従来の萬年暦に較べて、飛躍的にボリュームを小さくできる。
表セットを折り畳んで、ポケットに入れても携帯できる。
第２発明は、第２発明に比べると用いる表の数が１つ増えるだけで、第１発明と同様の効果を奏する。
【発明を実施するための最良の形態】
【００１５】
第１発明の構成
第１発明の六十干支求め表セットは、図１に示す『基本数表』(１)と、図２に示す『節入り表』(２)と、図３に示す『六十干支表』(３)からなる。
【００１６】
図３の『六十干支表』(３)は、前述した通りである。
実施例の『六十干支表』(３)は、「甲」で始まる十干毎に縦一行、即ち、縦向きに６列、横向きに１０列で表したが、「子」で始まる子十二支毎に縦一行、即ち、縦向き５列、横向きに１２列で表す等、『六十干支表』(３)の形態は問わない。
【００１７】
図２の『節入り表』(２)は、縦軸に年号、横軸に１２か月を、１月から２月に順に割り振っている。
最左列の上から下へ、年号の若い順に１年横１行として、年号を、西暦で表している。
１月から１２月までの１２の縦列に区画した部分には、各月と年号の交わる位置に、数字が記入されている。各数字は、当該年度の当該月の「節入り」の日を示している。
上記『節入り表』(２)は、Ｂ５サイズの紙面であれば、５０年間分程度は、肉眼で無理なく読み取りできる程度に表すことができる。
実施例では、１９４０年から１９８４年までの４５年間分を表している。
【００１８】
図１の『基本数表』(１)は、最上段の横列が項目欄(30)となっており、その下に、左側から右側へ順に(Ｘ軸方向に)、年号縦列(31)、年柱基本数縦列(32)、月柱基本数縦列(33)、日柱基本数縦列群(34)が設けられている。
日柱基本数縦列群(34)は、左から右へ順に１月から１２月までに割り振った１２列の日柱基本数縦列が並んでいる。
年号縦列(31)には、上から下へ(Ｙ軸方向へ)年号の若い順に１年横１行として、『節入り表』(２)と同じく１９４０年から１９８４年までを表している。
年柱基本数縦列(32)、月柱基本数縦列(33)及び日柱基本数縦列群(34)の各日柱基本数縦列と、年号縦列(31)の各年の交わる部分に数字が印されている。
【００１９】
年柱基本数縦列(32)に印されている各数字は、対応する各年の年柱番号である(後記の如く、例外もある)。例えば、１９４０年の六十干支は、図６の萬年暦から［庚辰］、そして図３の六十干支表から［庚辰］の番号は１７であるから、年柱基本数縦列(32)の１９４０年に対応する位置には「１７」の数字が印されている。
前述の如く、六十干支は、１から６０の番号順に繰り返すから、１９４１年の六十干支は、１８番［辛巳］となり、以下、機械的に年柱番号を付すことができる。
【００２０】
月柱基本数縦列(33)の各年度毎に印された数字は、該数字に生月の数字を加算した数字或いは該加算して得られた数字が６０を越えた場合は、該加算して得られた数字から６０を減じた数字が、当該月(四柱推命では、生日が生月の「節入り」の日より前であれば前月とする)の六十干支の番号と一致する。
月柱基本数縦列(33)の数字列を見ると、１年毎に数が１２(１２か月分)増えて、６０を越えると、加算数から６０を減じていることが分かる。
【００２１】
日柱基本数縦列群(34)の各月毎に縦方向に列挙された数字は、該数字に生日の数字を加算した数字或いは該加算して得られた数字が６０を越えた場合は、該加算して得られた数字から６０を減じた数字が、当該日の日柱番号と一致する様に決められている。
【００２２】
第１発明の六十干支求めセットの使い方
先ず、占い対象者の年柱番号を求める。
当該者の生年を年号行列から探す。生年の隣りに印された年柱基本数縦列(32)の対応する数字が、当該者の年柱番号である。但し、当該者の生月が、当該年の立春よりも前であれば、１を引く(四柱推命では、「当該者の生月が立春より前であれば、前年とする」とするから)。計算結果が０となれば、年柱番号は６０となる。
【００２３】
次に、当該者の月柱番号を求める。
当該年に対応する月柱基本数に、更に当該者の生月を加える。例えば、１月生れなら１を、１０月生まれなら１０を加える。すると、直ちに、月柱番号が得られる。但し、当該者の生日が、図２より得られる当該者の生月の「節入り」の日よりも前であれば、１を引く(四柱推命では、「当該者の生日が、当該月の「節入り」の日よりも前であれば、前月とする」から)。計算結果が０となれば、月柱番号は６０となる。計算結果が６０より大きくなれば、計算結果から６０を減じた数字が、月柱番号となる。
【００２４】
最後に、当該者の日柱番号を求める。
当該年に対応する日柱基本数に、当該者の生日を加える。例えば、生日が３日ならば３を、１２日ならば１２を加える。計算結果が０となれば、日柱番号は６０となる。計算結果が６０より大きくなれば、６０以下になるまで６０を引き続け、初めて６０以下になった数字が日柱番号である。
以上によって得られた年柱番号、月柱番号、日柱番号と図３の『六十干支表』(３)によって、生年、生月、生日に対応する六十干支が分かる。
この生年、生月、生日に対応する六十干支から、当該者を占うが、占い自体は特許の分野ではないので省略する。
【００２５】
第１発明の六十干支求めセットの使い方の具体例
今、占い対象者が昭和１６年１１月２８日生まれとする。
イ．年柱番号を求める
昭和１６年は、西暦１９４１年である。図１の『基本数表』(１)の１９４１年の横列を見ると、年柱番号は１８である。生月の１１月は立春より後であるから、１を減じる必要はなく、１８がそのまま年柱番号となる。
ロ．月柱番号を求める
１９４１年の月柱基本数字は２５である。生月は１１月であるから、これに１１を加えると、２５＋１１＝３６となる。
図２から、当該者の生月である１１月の「節入り」の日は８日であるから、生日は当該月の「節入り」の日より後となる。従って、そのまま３６が月柱番号となる。
ハ．日柱番号を求める
１９４１年と１１月の交差する日柱基本数字は４９である。これに生日の２８日を加えて、４９＋２８＝７７となる。
７７＞６０であるから、７７−６０＝１７
１７が日柱番号となる。
以上より、当該者の年柱番号は１８、月柱番号は３６、日柱番号は１７である。表３の『六十干支表』(３)より、対応する六十干支は、年柱番号１８は［辛巳］、月柱番号３６は［己亥］、日柱番号１７は［庚辰］であることが分かる。
【００２６】
上記の如く、第１発明では、『基本数表』(１)と、『節入り表』(２)と、『六十干支表』(３)の３つの表から、占い対象者の年柱、柱、月柱、日柱の夫々に対応する六十干支を知ることができる。
『六十干支表』(３)と『節入り表』(２)は何れも大きな紙面を必要とせず、又、『基本数表』(１)は、５０年分程度をＢ５サイズの用紙に表しても、見辛くならず、従来の多数頁の萬年暦に較べて、飛躍的にボリュームを小さくできる。
萬年暦の様に、頁を捲る必要がないので、表セットの傷みも少ない。
表セットは、『基本数表』(１)と『節入り表』(２)と『六十干支表』(３)を、１枚の紙に、或いは見開き１頁に表すこともできる。
複数枚に分けて表された表セット、或いは１枚に表された表セットを折り畳んで、ポケットに入れても携帯し、いつでも、どこでも、年柱、柱、月柱、日柱に対応する六十干支を知ることができる。
表セットの使用に際して計算が伴うが、誰もが暗算できる簡単な加減算であり、負担にはならない。
【００２７】
第２発明の構成
第２発明の六十干支求め表セットは、図２に示す『節入り表』(２)と、図３に示す『六十干支表』(３)と、図４に示す『基本数字表』(４)と、図５に示す『加算表』(５)とからなる。
『節入り表』(２)及びの『六十干支表』(３)は、前記第１実施例で説明済みである。
【００２８】
図４の『基本数字表』(４)は、第１発明の『基本数表』(１)に準じるものである。
『基本数字表』(４)は、最上段の横列が項目欄(40)となっており、その下に、左側から右側へ順に、年号縦列(41)、年柱縦列(42)、月柱基本数縦列(43)、日柱基本数縦列(44)が設けられている。
年号縦列(41)は第１発明の『基本数表』(１)の年号縦列(31)と同じであり、年柱基本数縦列(42)は第１発明の年柱基本数縦列(32)と同じであるから説明は省略する。
【００２９】
日柱基本数縦列(44)には、各年号に対応して数字が印されているが、この数字は、該数字に後記する『加算表』(５)から得られた数字を加えた数が、当該年柱番号となる様に決められている。
実施例では、日柱基本数縦列(44)は、第１発明の図１に示す『基本数表』(１)の１月の日柱基本数縦列の数字をそのまま列挙した。
例えば、図４において、１９４０年に対応する日柱基本数は３９、１９４１年に対応する日柱基本数は４５であり、図１において、１９４０年１月の番号、１９４１年１月の番号も同じく３９、４５である。
【００３０】
『基本数字表』(４)の、閏年に当たる年度の横列にはドット群等、目印が施されている。第２発明において、閏年か否かが関係するのは、後述の如く、日柱基本数だけであるから、日柱基本数縦列の当該数字に閏年か否かの判別目印を付せば済む。
尚、西暦数字が４で割り切れると閏年、但し１００で割り切れると非閏年、但し４００で割り切れると閏年という法則があり、西暦表示の場合、『基本数字表』(４)の閏年と非閏年を区別する印しは必ずしも必要ではない。
【００３１】
図５の『加算表』(５)は、図４の各年号の日柱基本数縦列(44)の数字に、当該年号が閏年が否を区別して加算する数字を印しており、加算した計算結果の数字が、当該年度の当該日の日柱番号になる様にしたものである。
『加算表』(５)は、横軸に１月から１２月を順に割り振り、各月の下方にて、上段に非閏年の場合に加える数字、下段に閏年の場合に加える数字を印している。
非閏年と３月の交差する位置に５９（−１）とあるが、これは５９を加えてもいいし、１を引いてもよいと言う意味である。５９を加えるより、１を減じる方が計算は簡単である。
【００３２】
尚、『基本数字表』(４)の日柱基本数縦列(44)に列挙する数字、及び『加算表』(５)
に列挙する数字は、実施例の数字に限るものではなく、日柱基本数縦列(44)の当該年の数字と、当該年の当該月が閏年か否かの別による『加算表』(５)の数字と当該者の生日とを加えた数字が当該年柱番号となる様にすれば、任意の番号を付すことができる。
日柱基本数縦列(44)に列挙する数字を任意に決めると、『加算表』(５)に列挙する数字は自動的に決まり、逆に、『加算表』(５)に列挙する数字を任意に決めると日柱基本数縦列(44)に列挙する数字は自動的に決まる。
【００３３】
第２発明の六十干支求めセットの使い方
イ．先ず、占い対象者の年柱番号及び月柱番号を求める。
第一発明と同じ手法で求める。
ロ．次に、図４の『基本数字表』(４)から当該年の日柱番号を求める。
『基本数字表』(４)から当該年の日柱基本数を知り、これに図５に示す『加算表』(５)から当該月に該当する数字を加える。当該年が非閏年ならば、非閏年の横列から、閏年ならば閏年の横列から数字を選択するのは勿論である。
上記加算結果に、更に当該者の生日を加えた数字が、当該者の日柱番号となる。
【００３４】
第２発明の六十干支求めセットの使い方の具体例(その１)
今、占い対象者を第１発明と同じく、昭和１６年１１月２８日生まれとする。
イ．年柱番号、月柱番号を求める
第１発明と同じであるから省略するが、当該者の年柱番号は１８、月柱番号は３６となる。
ロ．日柱番号を求める。
１９４１年と日柱基本数縦列(44)が交差する日柱基本数字は４５である。当該年は非閏年であるから、図５の『加算表』(５)より、当該月の非閏年の横列が交叉する位置の数字４と、当該の生日である２８を加えると、４５＋４＋２８＝７７となる。
７７＞６０であるから、７７−６０＝１７
１７が当該者の日柱番号となる。
当該者の年柱番号１８、月柱番号３６、日柱番号１７は、当然のことながら、第１発明における当該者と同じである。
図３に示す『六十干支表』(３)から、当該数字に対応する六干支を知ることができる。      
【００３５】
第２発明の六十干支求めセットの使い方の具体例(その２)
今、占い対象者が昭和５２年１月３日生まれとする。
イ．年柱番号を求める
昭和５２年は、西暦１９７７年である。図４の『基本数字表』(４)の当該年の横列を見ると、年柱番号は５４である。生月の１月は立春より前であるから、１を減じる必要があり、５３が年柱番号となる。
ロ．月柱番号を求める
当該年(１９７７年)の月柱基本数字は３７であり、これに生月の１を加えると３８となる。図２から、当該月(１月)の「節入り」は５日と分かり、当該者の生日は生月の「節入り」の日の前であり、上記３８から１を減じると３７となり、これが月柱番号となる。
ハ．日柱番号を求める
図４の『基本数字表』(４)から、当該年と日柱基本数縦列(44)とが交差する位置の数字は５４である。これに生日の３を加えて、５７となる。
６０＞５７であるから、５１が日柱番号となる。
以上より、当該者の年柱番号は５３、月柱番号は３７、日柱番号は５７となるので、表３の『六十干支表』(３) より、対応する六十干支は、年柱は［丙辰］、月柱は［庚子］(萬年暦では、１９７７年の前年の１月の月柱は［辛丑］と表されているが、生日が当該１月の「節入り」の日より前であるから等該月の前月の六十干支である［庚子］となる)、日柱は［庚申］であることが分かる。
【００３６】
第２発明は、第１発明に較べて表の数が１つ増えるが、第１発明における『基本数表』(１)の日柱基本数縦列群(34)の縦１２列に対して、第２発明の『基本数字表』(４)の日柱基本数縦列(44)は縦１列であって大幅に簡素化しており、見易く、見誤りを防止できる。
その他の効果は、第１発明と同様である。
【００３７】
図９は、生まれた時間を知っている者に対する、時柱に対応する六十干支を知るための番号表である。
最右縦列は生時示し、最上段横列は日柱番号の下一桁である。これらの交わる位置に印されている数字が、時柱番号であり、この番号を、図３の『六十干支表』(３)に当てはめることによって、時柱に対応する六十干支を知ることができる。
【００３８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３９】
例えば、『基本数表』(１)、『節入り表』(２)、『基本数字表』(４)、において、年号列には、元号を列挙し、或いは西暦と元号を併記してもよい。
【００４０】
又、第１発明、第２発明において、横列(Ｘ軸)と縦列(Ｙ軸)の関係を逆にすることもできる。
【図面の簡単な説明】
【００４１】
【図１】基本数表である。
【図２】節入り表である。
【図３】基本数表である。
【図４】基本数字表る。
【図５】加算表である。
【図６】萬年暦暦の１９４０の表である。
【図７】萬年暦の１９４１年の表である。
【図８】萬年暦の１９４２年の表である。
【図９】時柱番号表である。
【符号の説明】
【００４２】
１  六十干支表
２  節入り表
３  基本数表
４  基本数字表
５  加算表
【図１】
2007241689.tif 000003
【図２】
2007241689.tif 000004
【図３】
2007241689.tif 000005
【図４】
2007241689.tif 000006
【図５】
2007241689.tif 000007
【図６】
2007241689.tif 000008
【図７】
2007241689.tif 000009
【図８】
2007241689.tif 000010
【図９】
2007241689.tif 000011